(57)【要約】      （修正有）【課題】無線電力伝送によりウィンドウガラスの透明度を可変するウィンドウガラスの透明度可変装置を提供する。【解決手段】本発明の実施形態によるウィンドウガラス１０の透明度可変装置は、透明度変換薄膜層と、前記透明度変換薄膜層に接続された一対の電極とを有するウィンドウガラス１０と、車両ドア１の内側パネルに取り付けられ、バッテリーの電力を無線で伝送するコントローラと、前記ウィンドウガラス１０に取り付けられ、前記コントローラから電力を無線で受信する無線電力受信機３０とを含み、前記無線電力受信機３０は、前記コントローラから受信した電力を前記ウィンドウガラス１０の電極に印加することができる。【選択図】図１
2019104477.tif 000002
【特許請求の範囲】
【請求項１】
透明度変換薄膜層と、前記透明度変換薄膜層に接続された一対の電極とを有するウィンドウガラスと、
車両ドアに装着され、前記透明度変換薄膜層の透明度を調節するための電力を無線で伝送するように制御するコントローラと、
前記ウィンドウガラスに装着され、前記コントローラから電力を無線で受信する無線電力受信機とを含み、
前記無線電力受信機は、前記コントローラから受信した電力を前記ウィンドウガラスの電極に印加するように構成される、ウィンドウガラスの透明度可変装置。
【請求項２】
前記ウィンドウガラスは、車両の外側に向かう室外側ガラスと、車両の室内に向かう室内側ガラスとを有しており、
前記透明度変換薄膜層は、前記室外側ガラスと室内側ガラスとの間に配置され、前記一対の電極が前記透明度変換薄膜層に接続される、請求項１に記載のウィンドウガラスの透明度可変装置。
【請求項３】
前記室外側ガラスおよび前記室内側ガラスは、前記透明度変換薄膜層の対向面に取り付けられる、請求項２に記載のウィンドウガラスの透明度可変装置。
【請求項４】
前記一対の電極は、一対のリード線を介して前記無線電力受信機に個別に接続される、請求項３に記載のウィンドウガラスの透明度可変装置。
【請求項５】
前記コントローラは、バッテリーから供給された直流電源を電力の伝送に必要な交流電源に変換するＡＣインバータ回路と、電磁誘導現象により前記無線電力受信機側に電力を無線で送信する送信コイルとを含む、請求項１に記載のウィンドウガラスの透明度可変装置。
【請求項６】
前記コントローラは、透明度制御信号に応じてＡＣインバータ回路の作動およびＡＣインバータ回路から出力される電力レベルを調節する電力伝送制御モジュールをさらに含む、請求項５に記載のウィンドウガラスの透明度可変装置。
【請求項７】
前記無線電力受信機は、前記ウィンドウガラスの下端に取り付けられる、請求項６に記載のウィンドウガラスの透明度可変装置。
【請求項８】
前記無線電力受信機は、電磁誘導現象により前記電力伝送制御モジュールから電力を無線で受信する受信コイルを含む、請求項７に記載のウィンドウガラスの透明度可変装置。
【請求項９】
前記受信コイルと一対の電極は、前記一対のリード線を介して電気的に接続される、請求項８に記載のウィンドウガラスの透明度可変装置。
【請求項１０】
前記電力伝送制御モジュールは、ウィンドウガラスが閉鎖されたか否かを判断するように構成される、請求項１に記載のウィンドウガラスの透明度可変装置。
【請求項１１】
前記無線電力受信機は、ガラス位置送信装置をさらに含み、前記ガラス位置送信装置は、前記電力伝送制御モジュールから受信した制御信号を前記電力伝送制御モジュールにフィードバックするように構成される、請求項１０に記載のウィンドウガラスの透明度可変装置。
【請求項１２】
前記電力伝送制御モジュールは、ウィンドウレギュレータの制御機からウィンドウガラスの位置情報を受信することで、ウィンドウガラスが閉鎖されたか否かを判断するように構成される、請求項１０に記載のウィンドウガラスの透明度可変装置。
【請求項１３】
透明度操作ボタンを有するウィンドウ操作装置が前記コントローラに接続される、請求項１に記載のウィンドウガラスの透明度可変装置。
【発明の詳細な説明】
【技術分野】
【０００１】
本出願は、ウィンドウガラスの透明度可変装置に関し、より詳細には、無線電力伝送によりウィンドウガラスの透明度を可変するウィンドウガラスの透明度可変装置に関する。
【背景技術】
【０００２】
一般的に、車両ドアは、ウィンドウガラスを昇降させるウィンドウレギュレータ（ｗｉｎｄｏｗ  ｒｅｇｕｌａｔｏｒ）を有する。
【０００３】
ウィンドウレギュレータは、車両ドアに装着されたドアモジュール（ｄｏｏｒ  ｍｏｄｕｌｅ）に一体化されるか、車両ドアのインナパネルに直接装着される。ここで、ドアモジュール（ｄｏｏｒ  ｍｏｄｕｌｅ）とは、ラッチ、ウィンドウレギュレータなどが一体型に統合されたモジュールのことである。
【０００４】
近年、車両ドアに関して、ウィンドウガラスの透明度を可変するウィンドウガラスの透明度可変装置が研究開発されている。ウィンドウガラスの透明度可変により、日差しの遮断などのカーテンの働きをするように構成され得る。
【０００５】
かかるウィンドウガラスの透明度可変装置は、透明度の可変ができるように構成されたウィンドウガラスと、ウィンドウガラスの透明度を調節するように制御するコントローラとを含む。コントローラは、電線（ｅｌｅｃｔｒｉｃａｌ  ｗｉｒｉｎｇ）を介して電気エネルギーの供給を受けるように構成されてもよく、ウィンドウガラスの昇降移動距離に対応して電線に対して余長を与えることで、ウィンドウガラスの昇降をスムーズにするように構成される。
【０００６】
しかし、従来のウィンドウガラスの透明度可変装置は、電線の余長によってドアの開閉時に過剰なノイズが発生し、ウィンドウガラスの昇降時には電線が緊張するのに伴いコントローラのコネクタに過負荷がかかるという欠点があった。
【０００７】
また、従来のウィンドウガラスの透明度可変装置は、車両ドアにウィンドウレギュレータを組み付けた後、ウィンドウレギュレータにウィンドウガラスを組み付け、その後、車両ドアの狭小な隙間を介して車両のウィンドウガラスのコントローラにコネクタを組み付けるように構成されるため、その組み付けが非常に複雑であるという欠点があった。
【発明の概要】
【発明が解決しようとする課題】
【０００８】
本発明は、前記のような点に鑑みてなされたものであり、無線電力伝送によりウィンドウガラスの透明度を可変するウィンドウガラスの透明度可変装置を提供することを目的とする。
【課題を解決するための手段】
【０００９】
前記のような目的を達成するための本発明の実施形態によるウィンドウガラスの透明度可変装置は、
透明度変換薄膜層と、前記透明度変換薄膜層に接続された一対の電極とを有するウィンドウガラスと、
車両ドアに装着され、前記透明度変換薄膜層の透明度を調節するための電力を無線で伝送するように制御するコントローラと、
前記ウィンドウガラスに装着され、前記コントローラから電力を無線で受信する無線電力受信機とを含み、
前記無線電力受信機は、前記コントローラから受信した電力を前記ウィンドウガラスの電極に印加するように構成されてもよい。
【００１０】
前記ウィンドウガラスは、車両の外側に向かう室外側ガラスと、車両の室内に向かう室内側ガラスとを有しており、前記透明度変換薄膜層は、前記室外側ガラスと室内側ガラスとの間に配置され、前記一対の電極が前記透明度変換薄膜層に接続されてもよい。
【００１１】
前記室外側ガラスおよび前記室内側ガラスは、前記透明度変換薄膜層の対向面に取り付けられてもよい。
【００１２】
前記一対の電極は、一対のリード線を介して前記無線電力受信機に個別に接続されてもよい。
【００１３】
前記コントローラは、バッテリーから供給された直流電源を電力の伝送に必要な交流電源に変換するＡＣインバータ回路と、電磁誘導現象により前記無線電力受信機側に電力を無線で送信する送信コイルとを含んでもよい。
【００１４】
前記コントローラは、透明度制御信号に応じてＡＣインバータ回路の作動および電力の出力レベル（ｏｕｔｐｕｔ  ｐｏｗｅｒ  ｌｅｖｅｌ）を制御する電力伝送制御モジュールを含んでもよい。
【００１５】
前記無線電力受信機は、前記ウィンドウガラスの下端に取り付けられてもよい。
【００１６】
前記無線電力受信機は、電磁誘導現象により前記電力伝送制御モジュールから電力を無線で受信する受信コイルを含んでもよい。
【００１７】
前記受信コイルと一対の電極は、前記一対のリード線を介して電気的に接続されてもよい。
【００１８】
前記電力伝送制御モジュールは、ウィンドウガラスが閉鎖されたか否かを判断するように構成されてもよい。
【００１９】
前記無線電力受信機は、ガラス位置送信装置を含み、前記ガラス位置送信装置は、前記電力伝送制御モジュールから受信した制御信号を前記電力伝送制御モジュールにフィードバックするように構成されてもよい。
【００２０】
前記電力伝送制御モジュールは、ウィンドウレギュレータの制御機からウィンドウガラスの位置情報を受信することで、ウィンドウガラスの閉鎖状態を判断するように構成されてもよい。
【００２１】
透明度操作ボタンを有するウィンドウ操作装置が前記コントローラに接続されてもよい。
【発明の効果】
【００２２】
本発明によると、無線電力伝送によりウィンドウガラスの透明度を可変する構造を適用することで、ノイズ発生を防止し、耐久性および組立性などを改善し、ウィンドウガラスの昇降を容易にし、コストを大幅に削減することができる。
【図面の簡単な説明】
【００２３】
【図１】本発明の実施形態によるウィンドウガラスの透明度可変装置が車両ドアに適用された構造を図示した斜視図である。
【図２】本発明の実施形態によるウィンドウガラスの透明度可変装置を図示した図である。
【図３】本発明の実施形態によるウィンドウガラスの透明度可変装置のウィンドウガラスおよび無線電力受信機を図示した図である。
【図４】図３のＡ‐Ａ線に沿って図示した断面図である。
【図５】図３のＢ‐Ｂ線に沿って図示した断面図である。
【図６】図２のＣ‐Ｃ線に沿って図示した断面図である。
【図７】本発明の実施形態によるウィンドウガラスの透明度可変装置のコントローラを図示した図である。
【図８】本発明の他の実施形態によるウィンドウガラスの透明度可変装置のコントローラが車両ドアのインナパネルに装着された構造を図示した図である。
【図９】本発明の実施形態によるウィンドウガラスの透明度可変装置の無線電力受信機を図示した図である。
【図１０】本発明の実施形態によるウィンドウガラスの透明度可変装置の無線電力受信機の側面を図示した図である。
【図１１】本発明の実施形態によるウィンドウガラスの透明度可変装置に連結されるウィンドウ操作装置を図示した図である。
【図１２】本発明の実施形態によるウィンドウガラスの透明度可変装置を図示したブロック図である。
【図１３】ドアモジュールが車両ドアに組み付けられる過程を図示した図である。
【図１４】ウィンドウガラスがドアモジュールに組み付けられる過程を図示した図である。
【発明を実施するための形態】
【００２４】
以下、本発明の一部の実施形態について例示的な図面により詳細に説明する。各図面の構成要素に参照符号を付けるに際し、同じ構成要素に対しては、異なる図面上に示されているとしてもできるだけ同じ符号を付けるようにしていることに留意すべきである。また、本発明の実施形態について説明するに際し、関連する公知構成または機能に関する具体的な説明が、本発明の実施形態に関する理解を妨げると判断した場合には、その詳細な説明は省略する。
【００２５】
本発明の実施形態の構成要素について説明するに際し、第１、第２、Ａ、Ｂ、（ａ）、（ｂ）などの用語を使用することがある。かかる用語は、その構成要素を他の構成要素と区別するためのものであって、その用語によって当該構成要素の本質や手順または順番などは限定されない。また、他に定義されない限り、技術的または科学的な用語をはじめ、ここで使用されるすべての用語は、本発明が属する技術分野において通常の知識を有する者が一般的に理解しているものと同じ意味を有する。一般的に使用される辞書に定義されているような用語は、関連技術の文脈上有する意味と一致する意味を有すると解釈すべきであり、本出願において明らかに定義されていない限り、理想的または過剰に形式的な意味に解釈しない。
【００２６】
図１および図１１を参照すると、車両ドア１は、ウィンドウガラス１０と、ウィンドウガラス１０を昇降させるウィンドウレギュレータ８（図１１参照）とを含んでもよい。ウィンドウガラス１０は、ウィンドウレギュレータ８により、完全閉鎖位置と完全開放位置との間に移動することができる。完全閉鎖位置は、ウィンドウガラス１０が車両ドア１の開口を完全に閉鎖する位置であり得、完全開放位置は、ウィンドウガラス１０が車両ドア１の開口を完全に開放する位置であり得る。
【００２７】
一実施形態によると、図１および図２に図示されているように、ウィンドウレギュレータ８は、ドアモジュール２に一体化してもよく、ドアモジュール２は、車両ドアの内部空間に装着されてもよく、ドアモジュール２は、ドアモジュールパネルハウジング２ａを含み、ドアモジュールハウジング２ａの内部に、ウィンドウレギュレータ８、ラッチ機構（図示せず）などが装着されてもよく、ドアモジュールハウジング２ａは、合成樹脂などの非導電性材質からなってもよい。
【００２８】
図２を参照すると、本発明の一実施形態によるウィンドウガラスの透明度可変装置１００は、透明度変換薄膜層１５を有するウィンドウガラス１０と、車両ドア１に装着されるコントローラ２０と、ウィンドウガラス１０に装着される無線電力受信機３０と、コントローラ２０に接続された操作装置４０（ｍａｎｉｐｕｌａｔｉｏｎ  ｄｅｖｉｃｅ）とを含んでもよい。
【００２９】
ウィンドウガラス１０は、図３〜図５に図示されているように、車両の外側に向かう室外側ガラス１１と、車両の室内に向かう室内側ガラス１２と、室外側ガラス１１と室内側ガラス１２との間に配置された透明度変換薄膜層１５（ｆｉｌｍ  ｗｉｔｈ  ｖａｒｉａｂｌｅ  ｔｒａｎｓｐａｒｅｎｃｙ）とを有してもよい。
【００３０】
室外側ガラス１１および室内側ガラス１２は、透明または半透明材質から構成されてもよく、室外側ガラス１１および室内側ガラス１２は、透明度変換薄膜層１５の対向面に取り付けられてもよい。
【００３１】
一例によると、室外側ガラス１１および室内側ガラス１２は、透明度変換薄膜層１５の対向面に接着層１３を介して取り付けられてもよい。接着層１３は、透明度変換薄膜層１５の全面にわたり透明性接着剤が塗布されるか、透明度変換薄膜層１５の周縁にのみ透明性接着剤が塗布されることで形成され得る。
【００３２】
他の例によると、透明度変換薄膜層１５が粘着性などを有する材質からなる場合には、室外側ガラス１１および室内側ガラス１２が透明度変換薄膜層１５の対向面に接着剤無しで取り付けられてもよい。その他にも、室外側ガラス１１および室内側ガラス１２は、透明度変換薄膜層１５の対向面に、ｓｔａｔｉｃ  ｃｌｉｎｇ（静電気によるまといつき）、表面張力などのように接着剤を使用しない様々な方式で取り付けられてもよい。
【００３３】
一実施形態によると、透明度変換薄膜層１５は、電気エネルギーが印加されない場合には不透明状態を維持し、電気エネルギーが印加された場合には透明状態に変換されるように構成されてもよい。設定された電圧以上の交流電圧が透明度変換薄膜層１５に印加されると、透明度変換薄膜層１５を構成する分子配列状態が変化し、これにより光透過率が可変され得る。透明度変換薄膜層１５の透過率は、電圧の強度に応じて変動し、交流電圧が増加するほど透過率の変動量が増加するが、所定以上の電圧が印加されても飽和状態になるため、その透過率がそれ以上変化しない。
【００３４】
他の実施形態によると、透明度変換薄膜層１５は、電気エネルギーが印加されない場合には透明状態を維持し、電気エネルギーが印加された場合には不透明状態に変化するように構成されてもよい。
【００３５】
ウィンドウガラス１０は、透明度変換薄膜層１５に電気的に接続された一対の電極１４、１６を含み、一対の電極１４、１６は、正極１４および負極１６からなってもよい。
【００３６】
一対の電極１４、１６は、無線電力受信機３０に隣接して配置されてもよく、一対の電極１４、１６は、一対のリード線１４ａ、１６ａを介して無線電力受信機３０に個別に接続されてもよい。
【００３７】
コントローラ２０は、ウィンドウガラス１０の透明度変換薄膜層１５の透明度を調節するための電力を無線で伝送するように構成されてもよい。
【００３８】
一実施形態によると、コントローラ２０は、図２および図６に例示されているように、ドアモジュール２のドアモジュールハウジング２ａの内側空間に装着されてもよく、ドアモジュールハウジング２ａは、合成樹脂などの非導電性材質からなってもよい。これにより、ウィンドウガラス１０が完全閉鎖位置に移動すると、図６のように、無線電力受信機３０およびコントローラ２０は、互いに対向するように構成され得る。
【００３９】
コントローラ２０は、図７に図示されているように、基板２５と、ＡＣインバータ回路２１と、送信コイル２２と、電力伝送制御モジュール２３とを含んでもよい。
【００４０】
基板２５は、締結具などを介してドアモジュール２のドアモジュールハウジング２ａに装着されてもよく、ＡＣインバータ回路２１と、送信コイル２２と、電力伝送制御モジュール２３が、基板２５に所定の配列構造で配置されてもよい。
【００４１】
ＡＣインバータ回路２１は、バッテリー５から供給された直流電源を、電力の伝送に必要な交流電源に変換するように構成される。
【００４２】
送信コイル２２は、電磁誘導現象により無線電力受信機３０側に電力を無線で送信するように構成されてもよい。
【００４３】
電力伝送制御モジュール２３は、ウィンドウガラス１０の透明度を可変するための第１の制御信号（ｆｉｒｓｔ  ｃｏｎｔｒｏｌ  ｓｉｇｎａｌ  ｆｏｒ  ｖａｒｙｉｎｇ  ｔｒａｎｓｐａｒｅｎｃｙ  ｏｆ  ｗｉｎｄｏｗ  ｇｌａｓｓ）を受信することができ、第１の制御信号は、ウィンドウ操作装置４０の透明度操作ボタン４２の操作により発生することができる。電力伝送制御モジュール２３は、受信した透明度制御信号に応じてＡＣインバータ回路２１の作動およびＡＣインバータ回路２１から出力される電力レベルを制御するように構成されてもよい。一例によると、電力伝送制御モジュール２３は、透明度制御信号に応じてＡＣインバータ回路２１から出力される（時間当たり）交流電圧の大きさを調節することで、ＡＣインバータ回路２１から出力される電力レベルを制御することができる。
【００４４】
電力伝送制御モジュール２３は、第１の制御信号を受信するときに、後述するガラス位置送信装置３２からフィードバックされる信号の強度により、ウィンドウガラス１０が完全閉鎖されたか否かを判断することができる。
【００４５】
図１２に図示されているように、ＡＣインバータ回路２１および電力伝送制御モジュール２３は、バッテリー５に電気的に接続されてもよい。
【００４６】
他の実施形態によると、ウィンドウレギュレータ８は、車両ドア１のインナパネル１ａ（ｉｎｎｅｒ  ｐａｎｅｌ）に直接装着されてもよく、これによりドアモジュール２が省略され得る。このようにドアモジュール２が省略された場合には、コントローラ２０は、車両ドア１のインナパネル１ａに直接装着され得る。図８に例示されているように、車両ドア１のインナパネル１ａには開口１ｂが形成されてもよく、コントローラ２０は、車両ドア１のインナパネル１ａの開口１ｂ側に装着プレート２８を介して装着されてもよく、装着プレート２８は、合成樹脂などの非伝導性材質からなってもよい。これにより、コントローラ２０は、インナパネル１ａの内部に配置され、装着プレート２８により保護され得る。
【００４７】
無線電力受信機３０は、コントローラ２０から電力を無線で受信し、ウィンドウガラス１０の電極１４、１６に印加するように構成されてもよい。
【００４８】
無線電力受信機３０は、図３に図示されているように、ウィンドウガラス１０の下端に取り付けられてもよく、無線電力受信機３０は、ウィンドウガラス１０の電極１４、１６に隣接して配置されることで、リード線１４ａ、１６ａの長さを短く実現することができる。
【００４９】
無線電力受信機３０は、図９および図１０に図示されているように、本体（ｂｏｄｙ）３５と、受信コイル３１と、ガラス位置送信装置３２とを含んでもよい。
【００５０】
本体３５は、ウィンドウガラス１０の下端が結合する結合部３６を有してもよい。受信コイル３１およびガラス位置送信装置３２は、本体３５に配置されてもよい。
【００５１】
受信コイル３１は、電磁誘導現象により電力伝送制御モジュール２３から電力を無線で受信するように構成されてもよい。
【００５２】
受信コイル３１と一対の電極１４、１６は、一対のリード線１４ａ、１６ａを介して電気的に接続され得、電圧が一対のリード線１４ａ、１６ａを介して受信コイル３１からウィンドウガラス１０の電極１４、１６へ伝達され得る。
【００５３】
ガラス位置送信装置３２は、ウィンドウガラス１０の位置を送信するように構成されてもよい。
【００５４】
一実施形態によると、ガラス位置送信装置３２が電力伝送制御モジュール２３から受信した信号を電力伝送制御モジュール２３にフィードバックするのに伴い、電力伝送制御モジュール２３は、そのフィードバックされる信号の強度を感知することで、ウィンドウガラス１０が完全閉鎖位置に移動したか（完全閉鎖状態）否かを判断することができる。
【００５５】
他の実施形態によると、電力伝送制御モジュール２３は、ウィンドウレギュレータ８の制御機からウィンドウガラス１０の位置情報を受信するように構成されてもよく、これにより、電力伝送制御モジュール２３は、ウィンドウガラス１０が完全閉鎖位置に移動したか（完全閉鎖状態）否かを判断することができる。このように、ウィンドウレギュレータ８の制御機からウィンドウガラス１０の位置情報を受信する場合には、ガラス位置送信装置３２を省略することができる。
【００５６】
さらに他の実施形態によると、ウィンドウガラス１０の一側に磁石（図示せず）を取り付け、車両ドア１にホールセンサ（図示せず）を取り付け、これにより、ホールセンサ（図示せず）が磁石（図示せず）の磁界を感知することでウィンドウガラス１０の位置を検出するように構成されてもよい。かかるホールセンサおよび磁石により、電力伝送制御モジュール２３は、ウィンドウガラス１０が完全閉鎖位置に移動したか（完全閉鎖状態）否かを判断することができる。このように、磁石およびホールセンサによりウィンドウガラス１０の位置を検出する場合には、ガラス位置送信装置３２を省略することができる。
【００５７】
ウィンドウ操作装置４０は、図１０に図示されているように、車両ドア１のアームレスト６に配置されてもよい。ウィンドウ操作装置４０は、ウィンドウガラス１０を昇降させるための昇降操作ボタン４１と、ウィンドウガラス１０の透明度を調節するための透明度操作ボタン４２とを含んでもよい。
【００５８】
ウィンドウガラス１０の透明度可変を制御する第１の制御信号が、透明度操作ボタン４２の操作によって生じ得、第１の制御信号は、透明度操作ボタン４２の操作程度に応じて調節され、第１の制御信号は、電力伝送制御モジュール２３に伝送され得る。第１の制御信号により、ウィンドウガラス１０の透明度が可変され得る。
【００５９】
ウィンドウガラス１０の昇降を制御する第２の制御信号が、昇降操作ボタン４１の操作によって生じ得、第２の制御信号は、ウィンドウガラスを上昇および下降させるための制御信号である。第２の制御信号は、昇降操作ボタン４１の操作程度に応じて調節され、第２の制御信号は、ウィンドウレギュレータ８に伝送され得る。第２の制御信号により、ウィンドウガラス１０の昇降程度が調節され得る。
【００６０】
図１２を参照して、本発明のウィンドウガラスの透明度可変装置１００の作動について具体的に説明すると、以下の通りである。
【００６１】
ユーザがウィンドウ操作装置４０の透明度操作ボタン４２を操作することにより、透明度制御信号が、電力伝送モジュール２３に伝送され得る。
【００６２】
電力伝送制御モジュール２３は、ガラス位置送信装置３２またはウィンドウレギュレータ８の制御機などによりウィンドウガラス１０の位置情報を感知することで、ウィンドウガラス１０が完全閉鎖されたか否かを判断する。
【００６３】
電力伝送制御モジュール２３がウィンドウガラス１０の完全閉鎖状態を判断すると、電力伝送制御モジュール２３がＡＣインバータ回路２１の出力を調節することで、透明度制御信号に相当する電力が、バッテリー５から受信コイル３１へ伝送され得る。
【００６４】
ＡＣインバータ回路２１は、バッテリー５から伝達されたＤＣ電流を交流信号に転換し、送信コイル２２へ出力することができる。電力伝送制御モジュール２３は、透明度制御信号に応じてＡＣインバータ回路２１から出力される交流信号を調節する。
【００６５】
交流電流は、ＡＣインバータ回路２１から送信コイル２２へ伝達され得、送信コイル２２は、交流電流を、電磁誘導現象により受信コイル３１へ伝送することができる。これにより、受信コイル３１は、交流電圧を、リード線１４ａ、１６ａを介してウィンドウガラス１０の電極１４、１６側に印加する。
【００６６】
ウィンドウガラス１０の電極１４、１６に印加される交流電流が、ウィンドウガラス１０の透明度変換薄膜層１５の分子構造を整列することで、ウィンドウガラス１０を、所定の透過率の透明状態に転換することができる。
【００６７】
図１３および図１４は、本発明の一実施形態によるウィンドウガラス透明度調節装置１００の組み付け過程を図示する。
【００６８】
図１３のように、車両ドア１にドアモジュール２を組み付ける。この際、ドアモジュール２を車両ドア１に組み付ける前に、またはドアモジュール２を車両ドア１に組み付けた後に、コントローラ２０をドアモジュール２に組み付けてもよい。
【００６９】
その後、ウィンドウガラス１０の下端に無線電力受信機３０を組み付け、図１４のように、無線電力受信機３０が組み付けられたウィンドウガラス１０を、ドアモジュール２に組み付けてもよい。
【００７０】
このように、本発明は、無線電力伝送によりウィンドウガラスの透明度を可変するように構成され、これにより、ウィンドウガラスの透明度可変装置１００の組み付けが、非常に簡単且つ迅速に行われ得る。
【００７１】
以上の説明は、本発明の技術思想を例示的に説明したものに過ぎず、本発明が属する技術分野において通常の知識を有する者であれば、本発明の本質的な特性から逸脱しない範囲で様々な修正および変形が可能である。
【００７２】
したがって、本発明に開示されている実施形態は、本発明の技術思想を限定するためのものではなく、説明するためのものであって、かかる実施形態によって本発明の技術思想の範囲が限定されるものではない。本発明の保護範囲は、以下の請求の範囲により解釈すべきであり、それと同等の範囲内にあるすべての技術思想は、本発明の権利範囲に含まれるものと解釈すべきである。
【符号の説明】
【００７３】
１  車両ドア
２  ドアモジュール
５  バッテリー
６  アームレスト
１０  ウィンドウガラス
１１  外側ガラス
１２  内側ガラス
１３  接着層
１４、１６  電極
１５  透明度変換薄膜層
２０  コントローラ   
２１  ＡＣインバータ回路
２２  送信コイル
２３  電力伝送制御モジュール
３０  無線電力受信機
３１  受信コイル
３２  ガラス位置送信装置
４０  ウィンドウ操作装置
４１  昇降操作ボタン
４２  透明度操作ボタン
【図１】
2019104477.tif 000003
【図２】
2019104477.tif 000004
【図３】
2019104477.tif 000005
【図４】
2019104477.tif 000006
【図５】
2019104477.tif 000007
【図６】
2019104477.tif 000008
【図７】
2019104477.tif 000009
【図８】
2019104477.tif 000010
【図９】
2019104477.tif 000011
【図１０】
2019104477.tif 000012
【図１１】
2019104477.tif 000013
【図１２】
2019104477.tif 000014
【図１３】
2019104477.tif 000015
【図１４】
2019104477.tif 000016